(57)【要約】【課題】バランサトランスを用いてランプに流れる電流を均一化するようなランプ点灯装置において精度良く異常放電を検出する。【解決手段】本ランプ点灯装置は、メイントランスと、メイントランスの一次巻線側に接続される制御回路と、メイントランスの二次巻線に接続され、複数のランプに流れる電流を均一化するためのバランサと、複数のランプのいずれかの端子に発生し得る異常放電によって生ずる高周波信号を検出し、制御回路に動作停止を指示する異常放電検出回路とを有する。そして、上記バランサは、複数のトランスを有し、各トランスの一次巻線は、１の担当ランプとメイントランスの二次巻線とに直列に接続され、当該トランスの二次巻線は、他のトランスの二次巻線とで閉ループを構成するように接続されている。さらに、異常放電検出回路は、上記トランスの三次巻線に生ずる信号を用いて上記高周波信号を検出するものである。【選択図】図１
2009176557.tif 000002
【特許請求の範囲】
【請求項１】
メイントランスと、
前記メイントランスの一次巻線側に接続される制御回路と、
前記メイントランスの二次巻線に接続され、複数のランプに流れる電流を均一化するためのバランサと、
前記複数のランプのいずれかの端子に発生し得る異常放電によって生ずる高周波信号を検出し、前記制御回路に動作停止を指示する異常放電検出回路と、
を有し、
前記バランサは、複数のトランスを有し、
各前記トランスの一次巻線は、１の担当ランプと前記メイントランスの二次巻線とに直列に接続され、
当該トランスの二次巻線は、他のトランスの二次巻線とで閉ループを構成するように接続されており、
前記異常放電検出回路は、前記トランスの三次巻線に生ずる信号を用いて前記高周波信号を検出する
ランプ点灯装置。
【請求項２】
前記異常放電検出回路が、
前記高周波信号を通過させるためのハイパスフィルタ又はバンドパスフィルタと、
前記ハイパスフィルタ又はバンドパスフィルタの出力を積分する積分回路と、
前記積分回路の出力を所定の基準値と比較する比較回路と、
を有する請求項１記載のランプ点灯装置。
【請求項３】
前記異常放電検出回路が、
前記メイントランスの二次巻線に接続され、
前記メイントランスに発生し得る異常放電によって生ずる第２の高周波信号をも検出する
請求項１記載のランプ点灯装置。
【請求項４】
前記メイントランスの二次巻線に接続され、前記メイントランスに発生し得る異常放電によって生ずる第２の高周波信号を、前記積分回路に入力するための回路
をさらに有する請求項３記載のランプ点灯装置。
【請求項５】
前記放電検出回路が、
前記高周波信号であるパルスが所定の間隔で発生しているか判断するパルス間隔検出回路と、
前記パルス間隔検出回路によって前記パルスが所定の間隔で発生していると判断された場合には、前記パルスの発生回数をカウントし、当該発生回数が所定の閾値に達した場合には、前記制御回路に動作停止信号を出力するカウント回路と、
を有する請求項１記載のランプ点灯装置。
【発明の詳細な説明】
【技術分野】
【０００１】
本発明は、ランプ点灯装置に関し、より詳しくは、ランプの異常放電を検出する機能を有するランプ点灯装置に関する。
【背景技術】
【０００２】
例えば液晶テレビ用バックライトにおいて、ランプ（例えばＣＣＦＬ）がコネクタとルーズコンタクトになるとアーク放電が発生し、コネクタ等が破損する恐れがある。従来のアーク放電検出回路は、アーク放電が発生した際にメイントランス（インバータトランスとも呼ぶ）の電流に高周波成分が発生するメカニズムを利用して異常を検出する手法が用いられている（例えば、特開２００７−８０７９７号公報）。
【特許文献１】特開２００７−８０７９７号公報
【発明の開示】
【発明が解決しようとする課題】
【０００３】
しかしながら、大きなメイントランスで複数のランプを並列駆動し、バランサトランスで各ランプに流れる電流を均一化する方式のメイントランスでは、１本のランプがコネクタとルーズコンタクトになってアーク放電が発生しても、メイントランス電流に発生する高周波成分が薄まり、検出し辛いという問題があった。
【０００４】
従って、本発明の目的は、バランサトランスを用いてランプに流れる電流を均一化するようなランプ点灯装置において精度良く異常放電を検出するための技術を提供することである。
【０００５】
また、本発明の他の目的は、バランサトランスを用いてランプに流れる電流を均一化するようなランプ点灯装置において、個別のランプにおいて発生し得る異常放電を精度良く検出するための技術を提供することである。
【０００６】
さらに、本発明の他の目的は、バランサトランスを用いてランプに流れる電流を均一化するようなランプ点灯装置において発生し得る様々な異常放電を、少ないコストで検出するための技術を提供することである。
【課題を解決するための手段】
【０００７】
本発明に係るランプ点灯装置は、メイントランスと、メイントランスの一次巻線側に接続される制御回路と、メイントランスの二次巻線に接続され、複数のランプに流れる電流を均一化するためのバランサと、複数のランプのいずれかの端子に発生し得る異常放電によって生ずる高周波信号を検出し、制御回路に動作停止を指示する異常放電検出回路とを有する。そして、上記バランサは、複数のトランスを有し、各トランスの一次巻線は、１の担当ランプとメイントランスの二次巻線とに直列に接続され、当該トランスの二次巻線は、他のトランスの二次巻線とで閉ループを構成するように接続されている。さらに、異常放電検出回路は、上記トランスの三次巻線に生ずる信号を用いて上記高周波信号を検出するものである。
【０００８】
上で述べたようなバランサを採用することによって精度良く複数のランプに流れる電流を均一化することができ、さらにバランサのトランスに三次巻線を導入すれば、個別のランプにおいて発生し得る異常放電（アーク放電）を精度良く検出することができる。
【０００９】
なお、上で述べた異常放電検出回路は、上記高周波信号を通過させるためのハイパスフィルタ又はバンドパスフィルタと、ハイパスフィルタ又はバンドパスフィルタの出力を積分する積分回路と、積分回路の出力を所定の基準値と比較する比較回路とを有するようにしてもよい。異常放電によって生ずるランプ電流の不均衡を修正すべくバランサによって発生された高周波信号（具体的にはパルス）は、バランサのトランスの三次巻線からハイパスフィルタ又はバンドパスフィルタに伝えられ、検出される。そして、積分回路及び比較回路によって当該高周波信号がある程度連続して発生していることが分かれば、制御回路の動作を停止させて、ランプの点灯を停止させるものである。
【００１０】
さらに、上で述べた異常放電検出回路が、メイントランスの二次巻線に接続され、メイントランスに発生し得る異常放電によって生ずる第２の高周波信号をも検出するようにしてもよい。このようにすれば、異常放電検出回路を、例えばランプのルーズコンタクトだけではなく、メイントランスに発生し得る異常放電検出にも用いることができるようになる。
【００１１】
また、メイントランスの二次巻線に接続され、メイントランスに発生し得る異常放電によって生ずる第２の高周波信号を、積分回路に入力するための回路をさらに有するようにしてもよい。このようにすれば、積分回路及び比較回路の部品点数を削減してコストダウンを図ることができるようになる。
【００１２】
さらに、上で述べた放電検出回路が、高周波信号であるパルスが所定の間隔で発生しているか判断するパルス間隔検出回路と、パルス間隔検出回路によって上記パルスが所定の間隔で発生していると判断された場合には、上記パルスの発生回数をカウントし、当該発生回数が所定の閾値に達した場合には、制御回路に動作停止信号を出力するカウント回路とを有するようにしてもよい。
【００１３】
以上のような構成を実現するための回路は複数存在しており、以下に具体例を示すが、本発明はこれに限定されるものではない。
【発明の効果】
【００１４】
本発明によれば、バランサトランスを用いてランプに流れる電流を均一化するようなランプ点灯装置において精度良く異常放電を検出することができるようになる。
【００１５】
また、本発明の他の側面によれば、バランサトランスを用いてランプに流れる電流を均一化するようなランプ点灯装置において、個別のランプにおいて発生し得る異常放電を精度良く検出することができるようになる。
【００１６】
さらに、本発明の他の側面によれば、バランサトランスを用いてランプに流れる電流を均一化するようなランプ点灯装置において発生し得る様々な異常放電を、少ないコストで検出することができるようになる。
【発明を実施するための最良の形態】
【００１７】
図１に、本発明の一実施の形態に係るランプ点灯装置の概要を示す。図１に示すランプ点灯装置においては、ランプＬＰ１乃至ＬＰ３の３本のランプを点灯させる例を示すが、ランプの本数は任意であって、３本に限定するものではない。図１に示すランプ点灯装置は、電源自身の制御を行う制御回路１１を含む電源回路１と、メイントランスＴ１（インバータトランスとも呼ぶ）と、バランサトランスＴＢ１乃至ＴＢ３と、ダイオードＤ１乃至Ｄ３と、メイントランスＴ１に対する異常放電を検出するためのインピーダンス５と、本実施の形態において主要な回路を含むアーク放電検出回路３とを有する。
【００１８】
メイントランスＴ１の一次巻線は、電源回路１に接続されており、メイントランスＴ１の二次巻線の一端は、バランサトランスＴＢ１乃至ＴＢ３の一次巻線の一端に接続されている。バランサトランスＴＢ１乃至ＴＢ３の一次巻線の他端は、それぞれランプ用のコネクタＣＮ１乃至ＣＮ３のいずれか１つに接続されている。そして、コネクタＣＮ１にはランプＬＰ１の一端が接続され、コネクタＣＮ２にはランプＬＰ２の一端が接続され、コネクタＣＮ３にはランプＬＰ３の一端が接続され、本実施の形態では、ランプＬＰ１乃至ＬＰ３の他端は接地されている。なお、ランプＬＰ１乃至ＬＰ３の他端は、他の回路が接続されることがあるが、本実施の形態における主要部ではないので説明を省略する。
【００１９】
一方、バランサトランスＴＢ１乃至ＴＢ３の二次巻線は、それらで閉ループを構成するように接続されている。この閉ループは接地されている。このようにバランサトランスＴＢ１乃至ＴＢ３の二次巻線を閉ループを構成するように接続することによって、ランプＬＰ１乃至ＬＰ３に流れる電流を精度良く均一化させることができる。すなわち、ランプの輝度が均一化される。
【００２０】
さらに、バランサトランスＴＢ１乃至ＴＢ３は、それぞれ三次巻線を有しており、それぞれ当該三次巻線の一端は接地されている。バランサトランスＴＢ１乃至ＴＢ３の三次巻線の他端は、それぞれダイオードＤ１乃至Ｄ３のアノードのいずれか１つに接続されており、ダイオードＤ１乃至Ｄ３のカソードは１点に接続されており、さらにアーク放電検出回路３に接続されている。すなわち、ダイオードＯＲによって、バランサトランスＴＢ１乃至ＴＢ３の三次巻線の信号が重ね合わされて、アーク放電検出回路３に出力される。アーク放電検出回路３は、メイントランスＴ１の二次巻線の一端とインピーダンス５との接続点と接続されており、メイントランスＴ１の二次巻線に流れる信号をインピーダンス５で取り出して、アーク放電検出回路３に入力するようになっている。なお、バランサトランスＴＢ１乃至ＴＢ３の三次巻線には、他にも回路が接続される場合があるが、本実施の形態においては主要部ではないので、説明を省略する。
【００２１】
アーク放電検出回路３の出力は、電源回路１に接続されており、制御回路１１に、電源回路１の出力を停止するように指示する信号が入力される。
【００２２】
通常であれば、図２（ｂ）及び（ｃ）に示すように、ランプ駆動周波数の正弦波のみの電圧が各ランプＬＰ１乃至ＬＰ３に印加される。しかし、例えばランプＬＰ１の一端が、コネクタＣＮ１とルーズコンタクトになっていると、アーク放電が発生する可能性がある。アーク放電は、微少放電で周期的に発生する。バランサトランスＴＢ１乃至ＴＢ３は、この周期的なアーク放電による電流を補正すべく、ランプＬＰ１には、例えば図２（ａ）に示すような電圧を印加するようになる。すなわち、ランプＬＰ１乃至ＬＰ３を駆動する周波数の正弦波に、周期的にパルスが載るような電圧信号が発生する。なお、ランプＬ２及びＬ３に対しては、補正は必要ないので、図２（ｂ）及び（ｃ）に示すような電圧が印加される。
【００２３】
ランプＬＰ１には、例えば図２（ａ）に示すような電圧が印加されるので、バランサトランスＴＢ１の三次巻線には、図２（ｄ）に示すように、周期的なパルスを含む、ランプ駆動周波数の正弦波の電圧が発生する。従来技術の欄でも述べたが、インピーダンス５でランプＬＰ１がコネクタＣＮ１とルーズコンタクトの場合に発生するアーク放電を検出しようとすると、他のランプに流れる電流の分もありパルスの振幅が小さくなるので、静電気などで発生するパルスやノイズとの区別がしにくくなる。一方、本実施の形態のように、バランサトランスＴＢ１の三次巻線で検出する場合には、バランサトランスＴＢ１の一次巻線側の信号は、バランサトランスＴＢ１の一次巻線と三次巻線との巻線比で、バランサトランスＴＢ１の三次巻線側にそのまま伝えられるため、検出しやすい。
【００２４】
次に、図３にアーク放電検出回路３の機能ブロック図を示す。アーク放電検出回路３は、ハイパスフィルタＨＰＦ又はバンドパスフィルタＢＰＦ３１と、積分回路３２と、レベル比較部３３とを有する。ＨＰＦ又はＢＰＦ３１と、積分回路３２と、レベル比較部３３とは直列で接続される。また、インピーダンス５の一端は積分回路３２に接続されている。
【００２５】
図４に、ＨＰＦ又はＢＰＦ３１にＨＰＦを用いた場合におけるアーク放電検出回路３の第１の具体例を示す。本例におけるアーク放電検出回路３は、キャパシタＣ１乃至Ｃ３と、抵抗Ｒ１乃至Ｒ５と、ダイオードＤ４と、ツェナーダイオードＤ５と、コンパレータＣｏｍｐ１とを有する。
【００２６】
キャパシタＣ１の一端は、ダイオードＤ１乃至Ｄ３のカソードに接続されており、キャパシタＣ１の他端は、抵抗Ｒ１の一端とダイオードＤ４のアノードとに接続されている。抵抗Ｒ１の他端は接地されている。このキャパシタＣ１と抵抗Ｒ１とはＨＰＦを構成している。そして、ダイオードＤ４のカソードは、抵抗Ｒ４の一端に接続されており、抵抗Ｒ４の他端は、抵抗Ｒ２の一端と、抵抗Ｒ６の一端と、キャパシタＣ２の一端と、ツェナーダイオードＤ５のカソードと、コンパレータＣｏｍｐ１の負極側端子とに接続されている。抵抗Ｒ２の他端と、キャパシタＣ２の他端と、ツェナーダイオードＤ５のアノードとは、接地されている。キャパシタＣ２は、積分回路３２を構成している。コンパレータＣｏｍｐ１の正極側端子は、抵抗Ｒ５の一端と、抵抗Ｒ３の一端と、キャパシタＣ３の一端と接続されている。抵抗Ｒ３の他端とキャパシタＣ３の他端とは接地されている。また、抵抗Ｒ５の他端は、電源Ｖｃｃに接続されている。このように、抵抗Ｒ５と抵抗Ｒ３とで抵抗分割されたＶｃｃが、コンパレータＣｏｍｐ１の正極側端子に基準電圧として入力されている。このように、コンパレータＣｏｍｐ１と抵抗Ｒ３及びＲ５並びにキャパシタＣ３とが、レベル比較部３３を構成している。コンパレータＣｏｍｐ１の出力端子は、以下で述べる補助回路を介して電源回路１に接続される。
【００２７】
なお、キャパシタＣ４の一端と、抵抗Ｒ６の他端とは、メイントランスの二次巻線に接続されているインピーダンス５の一端に接続されており、キャパシタＣ４の他端は接地されている。このように、積分回路３２及びレベル比較器３３を共用して、メイントランスに対する異常放電についても検出するようになっている。すなわち、部品点数、そしてコストを削減している。
【００２８】
このような回路において、ＨＰＦでコネクタにおけるアーク放電によって発生したパルス成分（高周波成分）のみを通過させて、積分回路３２でＨＰＦの出力を積分し、その積分結果が所定のレベルに達したか否かをレベル比較部３３で判断することによって、ある程度アーク放電が連続して発生していることを確認する。すなわち、静電気などによってパルスが一時的にバランサトランスの三次巻線に発生した場合であれば、積分回路３２の出力は、所定のレベルに達しないため、レベル比較部３３から出力はなされない。一方、コネクタとの、ランプのルーズコンタクトが生じている場合には、パルスが連続して発生するために、積分回路３２の出力は所定のレベルに達するまで増加するので、レベル比較部３３から電源回路１（制御回路１１）に対して出力を停止させるための信号が出力されるようになる。
【００２９】
なお、メイントランスに発生した異常放電を検出する場合にも、キャパシタＣ４及び抵抗Ｒ６で、異常放電特有の信号のみを積分回路３２に入力して積分を行って、積分結果が所定のレベル以上になるほど異常放電が連続するかを判断し、異常放電が連続していると判断されると、電源回路１（制御回路１１）に対して出力を停止させるための信号を出力する。
【００３０】
図５に、図４に示したアーク放電検出回路３の出力に接続される補助回路について説明する。補助回路は、誤反応防止回路と保護状態維持回路とを含む。
【００３１】
誤反応防止回路は、抵抗Ｒ１１及びＲ１３乃至Ｒ１５と、キャパシタＣ１１及びＣ１２と、コンパレータＣｏｍｐ２とを有する。
【００３２】
抵抗Ｒ１１の一端は、アーク放電検出回路３の出力と接続されており、抵抗Ｒ１１の他端は、キャパシタＣ１１の一端と、抵抗Ｒ１３の一端と、コンパレータＣｏｍｐ２の正極側端子と接続されている。キャパシタＣ１１の他端と、抵抗Ｒ１３の他端とは、電源Ｖｃｃに接続されている。この電源Ｖｃｃは、また抵抗Ｒ１４の一端に接続されており、抵抗Ｒ１４の他端は、抵抗Ｒ１５の一端と、キャパシタＣ１２の一端と、コンパレータＣｏｍｐ２の負極側端子とに接続されている。抵抗Ｒ１５の他端と、キャパシタＣ１２の他端とは、接地されている。
【００３３】
なお、キャパシタＣ１２には比較的大きな容量のキャパシタが用いられ、アーク放電検出回路３の出力の変動が、所定の時間後に、コンパレータＣｏｍｐ２の出力に反映されるようにしている。
【００３４】
また、保護状態維持回路は、抵抗Ｒ２１乃至Ｒ２３と、キャパシタＣ２１と、ｎｐｎトランジスタＴｒ１及びｐｎｐトランジスタＴｒ２とを有する。
【００３５】
誤反応防止回路の出力は、抵抗Ｒ２１の一端に接続されており、抵抗Ｒ２１の他端は、トランジスタＴｒ１のコレクタと、トランジスタＴｒ２のベースとに接続されている。トランジスタＴｒ１のエミッタは、接地されており、トランジスタＴｒ１のベースは、抵抗Ｒ２２の一端と、キャパシタＣ２１の一端と、抵抗Ｒ２３の一端と接続されている。抵抗Ｒ２２の他端と、キャパシタＣ２１の他端は接地されている。抵抗Ｒ２３の他端は、トランジスタＴｒ２のコレクタに接続されており、トランジスタＴｒ２のエミッタは電源Ｖｃｃに接続されている。このような回路にてトランジスタＴｒ１のコレクタ及びトランジスタＴｒ２のベースが、電源回路１に接続されている。
【００３６】
このような回路にて、一度誤反応防止回路から異常を表す出力が出されると、その出力を維持するものである。すなわち、次にスイッチをオンにしても、安全のために電源回路１が動作しないようにする。
【００３７】
次に、図６を用いてアーク放電検出回路３の第２の回路例を示す。本例におけるアーク放電検出回路３は、キャパシタＣ３１及びＣ３２と、抵抗Ｒ３１乃至Ｒ３３と、ダイオードＤ６と、ツェナーダイオードＤ７と、ｎｐｎトランジスタＴｒ３とを有する。
【００３８】
ダイオードＤ１乃至Ｄ３のカソードは、キャパシタＣ３１の一端に接続されており、キャパシタＣ３１の他端は、抵抗Ｒ３１の一端と、ダイオードＤ６のアノードに接続されている。抵抗Ｒ３１の他端は接地されている。ダイオードＤ６のカソードは、ツェナーダイオードＤ７のカソードに接続されており、ツェナーダイオードＤ７のアノードは、キャパシタＣ３２の一端と、抵抗Ｒ３２の一端と接続されている。キャパシタＣ３２の他端は接地されており、抵抗Ｒ３２の他端は、抵抗Ｒ３３の一端と、トランジスタＴｒ３のベースに接続されている。抵抗Ｒ３３の他端は接地されている。トランジスタＴｒ３のエミッタも接地されており、コレクタは、図５に示した補助回路に接続されている。
【００３９】
このアーク放電検出回路３では、キャパシタＣ３１と抵抗Ｒ３１でＨＰＦが構成されており、キャパシタＣ３２とツェナーダイオードＤ７とで、積分回路３２及びレベル比較回路３３とを構成している。
【００４０】
さらに、図７を用いてアーク放電検出回路３の第３の回路例を示す。本例におけるアーク放電検出回路３は、キャパシタＣ４１乃至Ｃ４３と、抵抗Ｒ４１乃至Ｒ４７と、ダイオードＤ８及びＤ９と、ツェナーダイオードＤ１０及びＤ１１と、ｎチャネルＦＥＴ１と、コイルＬ１と、コンパレータＣｏｍｐ３とを有する。
【００４１】
ダイオードＤ１乃至Ｄ３のカソードには、ダイオードＤ８のアノードが接続されており、ダイオードＤ８のカソードには、抵抗Ｒ４１の一端が接続されている。抵抗Ｒ４１の他端は、コイルＬ１の一端と、ダイオードＤ９のアノードとが接続されている。コイルＬ１の他端は、接地されている。この抵抗Ｒ４１及びコイルＬ１とで、バンドパスフィルタが構成されている。ダイオードＤ９のカソードは、抵抗Ｒ４２の一端と、キャパシタＣ４１の一端と、ツェナーダイオードＤ１０のカソードと、ＦＥＴ１のドレインと、抵抗Ｒ４６の一端とが接続されている。抵抗Ｒ４２の他端と、キャパシタＣ４１の他端と、ツェナーダイオードＤ１０のアノードとは、接地されている。抵抗Ｒ４６の他端は、コンパレータＣｏｍｐ３の正極側端子に接続されている。キャパシタＣ４１は、積分回路３２を構成している。また、ＦＥＴ１のソースは接地されており、ゲートは、抵抗Ｒ４７の一端と、キャパシタＣ４３の一端と接続されている。抵抗Ｒ４７の他端は接地されている。キャパシタ４３の他端は、電源Ｖｃｃに接続されている。コンパレータＣｏｍｐ３の負極側端子は、抵抗Ｒ４５の一端に接続されており、抵抗Ｒ４５の他端は、抵抗Ｒ４３の一端と、キャパシタＣ４２の一端と、抵抗Ｒ４４の一端と、ツェナーダイオードＤ１１のカソードとに接続されている。抵抗Ｒ４３の他端は、電源Ｖｃｃに接続されており、キャパシタＣ４２の他端と、抵抗Ｒ４４の他端と、ツェナーダイオードＤ１１のアノードとは接地されている。抵抗Ｒ４３及びＲ４４とキャパシタＣ４２とツェナーダイオードＤ１１とコンパレータＣｏｍｐ３とが、レベル比較回路３３を構成している。その他の回路要素は補助的なものである。
【００４２】
本例におけるＢＰＦは、アーク放電によって発生するパルスの高周波成分を通過させるように設定される。その他の動作は、他の例で述べたものと同様である。
【００４３】
図８を用いて、他のアーク放電検出回路３００の構成例を示す。本例におけるアーク放電検出回路３００は、パルス間隔識別部３１０と、カウンタ部３１１とを有する。パルス間隔識別部３１０は、アーク放電によるパルスは周期的に発生するので、ほぼ等間隔にパルスが発生しているかを判断する。ほぼ等間隔にパルスが発生している場合にはアーク放電と判断して、カウンタ部３１１は、所定回数パルスが発生しているかカウントして、所定回数発生した場合には、電源回路１の動作を停止させるための出力を電源回路１に出力する。
【００４４】
このような回路構成でも、上で述べたものと同様に、アーク放電を検出して、電源回路１の動作を停止させて、コネクタＣＮ１乃至ＣＮ３の破損を防止する。
【００４５】
以上、本発明の実施の形態について説明したが、本発明はこれに限定されるものではない。例えば、上で述べた基本的な機能を実現するために実際の回路は様々に構成することができ、上で述べた例は一例に過ぎない。
【００４６】
さらに、上で述べた回路に付加的な機能を追加することも可能である。
【図面の簡単な説明】
【００４７】
【図１】本発明の実施の形態に係るランプ点灯装置を示す図である。
【図２】（ａ）乃至（ｄ）は、ランプ点灯装置において検出される信号波形を示す図である。
【図３】アーク放電検出回路の第１の構成例を示す図である。
【図４】アーク放電検出回路の第１の構成例の具体的回路を示す図である。
【図５】補助回路の具体例を示す図である。
【図６】アーク放電検出回路の第１の構成例の第２の具体的回路を示す図である。
【図７】アーク放電検出回路の第１の構成例の第３の具体的回路を示す図である。
【図８】アーク放電検出回路の第２の構成例を示す図である。
【符号の説明】
【００４８】
１  電源回路
３  アーク放電検出回路
５  インピーダンス
Ｔ１  メイントランス
ＴＢ１，ＴＢ２，ＴＢ３  バランサトランス
ＣＮ１，ＣＮ２，ＣＮ３  コネクタ
ＬＰ１，ＬＰ２，ＬＰ３  ランプ
Ｄ１，Ｄ２，Ｄ３  ダイオード
【図１】
2009176557.tif 000003
【図２】
2009176557.tif 000004
【図３】
2009176557.tif 000005
【図４】
2009176557.tif 000006
【図５】
2009176557.tif 000007
【図６】
2009176557.tif 000008
【図７】
2009176557.tif 000009
【図８】
2009176557.tif 000010